(57)【要約】【課題】貨物の載せ替えを極めて簡単かつ迅速に行うことができるパレットを提供する。【解決手段】パレット１０は、貨物を積載するパレット本体１１の上面に、回転可能に支持された複数のローラ１６が配列して設けてある。【選択図】図１
2007069957.tif 000002
【特許請求の範囲】
【請求項１】
貨物を積載するパレット本体の上面に、回転可能に支持された複数のコロを配列して設けたことを特徴とするパレット。
【請求項２】
前記コロは、前記パレット本体の略全幅にわたって配列されていることを特徴とする請求項１に記載のパレット。
【請求項３】
前記コロは、ローラからなることを特徴とする請求項１または２に記載のパレット。
【請求項４】
前記ローラは、前記パレット本体に対して着脱可能なローラユニットとして構成されていることを特徴とする請求項３に記載のパレット。
【請求項５】
前記ローラユニットは、２列に分割されていることを特徴とする請求項４に記載のパレット。
【請求項６】
積載された貨物の移動および脱落を防止する２つのストッパを設けたことを特徴とする請求項１ないし５のいずれかに記載のパレット。
【請求項７】
前記一方のストッパは着脱可能であり、前記他方のストッパは前記コロまたはローラの配列方向の任意の位置で固定可能であることを特徴とする請求項６に記載のパレット。
【請求項８】
所定間隔をおいて平行に配設された２本のフレーム間に複数の回転可能なローラがそれぞれ平行に配列されてなるローラユニットの前記フレームの下部に台座を取り付けて構成されることを特徴とするパレット。
【発明の詳細な説明】
【技術分野】
【０００１】
本発明は、貨物を積載して搬送するためのパレットに関する。
【背景技術】
【０００２】
従来、医薬品の錠剤やカプセル剤をＰＴＰ包装(Press Through Packageの略)のように小分け包装する場合、ＰＴＰ包装の製造ラインがある建屋内は大気１ｍ３中の微粒子数が例えば１０万個以下であるいわゆるクラス１００，０００の清浄域に空調されている。これは、樹脂シートとアルミフィルムで被包装材である錠剤等をサンドイッチ構造で包装するＰＴＰ包装内への異物の混入を防止するために必要になる。
【０００３】
ＰＴＰ包装に必要な資材である樹脂シートやアルミフィルムは、巻回されたロールとして製造ラインのある清浄域に搬入される。前記ロールは、アルミ製のパレット上に例えば１５個程度積載された状態でハンドリフトによって搬送されるが、微粒子調整が全く行われていない倉庫等の一般域から前記製造ラインのある清浄域へ前記ロールを積載したパレットをそのまま運び込むと、パレットに付着した塵や埃等の異物が清浄域に持ち込まれて環境が汚染されてしまう。
【０００４】
これを防止するため、図８に示すように、製造ラインがある清浄域に隣接する前処理室１において、倉庫からハンドリフト２によって運ばれて来たアルミパレット３を清浄域用のアルミパレット４に横付けした状態に置く。そして、アルミパレット３に積載されたロールＲ（１個約８ｋｇ）を人手によって１つずつアルミパレット４に載せ替えていた。従来は、このような載せ替え作業を１日に５〜６回行っており、非常に煩雑で手間がかかっていた。なお、前処理室１では、矢印Ａ方向に流れる気流が形成されるようにして、清浄域への塵や埃等の侵入を防止している。
【０００５】
【特許文献１】特開２００１−１７１９９５号公報
【発明の開示】
【発明が解決しようとする課題】
【０００６】
そこで、本発明は、ロール等の貨物の載せ替えを極めて簡単かつ迅速に行うことができるパレットを提供することを課題とする。
【課題を解決するための手段】
【０００７】
前記課題を解決するため、本発明のパレットは、貨物を積載するパレット本体の上面に、回転可能に支持された複数のコロを配列して設けたものである。
【０００８】
本発明のパレットにおいて、前記コロは前記パレット本体の略全幅にわたって配列されてもよい。
【０００９】
また、本発明のパレットにおいて、前記コロは、ローラからなってもよい。
【００１０】
また、本発明のパレットにおいて、前記ローラは、前記パレット本体に対して着脱可能なローラユニットとして構成されてもよい。この場合、前記ローラユニットは、２列に分割されていてもよい。
【００１１】
また、本発明のパレットにおいて、積載された貨物の移動および脱落を防止する２つのストッパを設けるのが好ましい。この場合、前記一方のストッパは着脱可能であり、前記他方のストッパは前記コロまたはローラの配列方向の任意の位置で固定可能であってもよい。
【００１２】
さらに、本発明のパレットは、所定間隔をおいて平行に配設された２本のフレーム間に複数の回転可能なローラがそれぞれ平行に配列されてなるローラユニットの前記フレームの下部に台座を取り付けて構成されてもよい。
【発明の効果】
【００１３】
本発明のパレットによれば、２つのローラ付きパレットを横付けした状態で並べて配置し、一方のパレットに積載された貨物を横方向に押すだけで、複数の貨物を１つずつ持ち上げることなくまとめて１度に他方のパレットに極めて容易かつ迅速に載せ替えることができる。
【発明を実施するための最良の形態】
【００１４】
以下に、本発明の実施の形態について添付図面を参照して説明する。
図１は本発明の一実施形態であるパレット１０の部分斜視図、図２はパレット１０の側面図である。パレット１０は、コ字状の側面を有するパレット本体１１を備えている。パレット本体１１は、例えばアルミ製のものである。なお、パレット本体１１は、コ字状側面を有するものに限定されず、他の形状のもの、例えばロ字状側面を有する表裏面使用可能な形状のものであってもよい。
【００１５】
パレット本体１１の上面には、ローラユニット１２がボルト１３によって着脱可能に取り付けられている。ローラユニット１２を取り外すことによって、パレット本体１１は、普通のパレットとして使用可能である。なお、ローラユニット１２のパレット本体１１への取り付け方法は、ボルト締めに限らず、他の着脱可能な方法（例えば、ローラユニット１２の下部に突設した少なくとも２つの突起をパレット本体１１の上面に形成された穴に挿入する等）であってもよい。
【００１６】
ローラユニット１２は、所定間隔をおいて平行に配設されたコ字状側面を有する２本の金属製フレーム１４と、前記２本のフレーム１４間に懸架された複数の金属棒１５によってそれぞれ回転可能に軸支された例えば樹脂製の複数（例えば２０本）のローラ（コロ）１６とから構成されている。前記複数のローラ１６は、パレット本体１１の略全幅にわたって、それぞれ平行に１列に配列されている。
【００１７】
なお、本実施形態ではローラユニット１２における複数のローラ１６は１列に配列されているが、図３に示すように、ローラユニット１２ａとローラユニット１２ｂとに２列に分割されていてもよい。このようにすれば、ローラユニット１２ａ，１２ｂが小型化することで着脱の際の取り扱いが容易になるとともに、ローラ１６および金属棒１５の曲げ剛性が強くなるために積載する貨物の重量による撓みが小さくなって丈夫になる。
【００１８】
ローラユニット１２の上部には、それぞれコ字状側面を有する２つのストッパ１７，２３が取り付けられている。一方のストッパ１７は、図１，２，４に示すように、ストッパ１７の平板状取付部１８に取り付けられたボルト１９がローラユニット１２のフレーム１４の上部に形成された長穴２０に嵌り込むことによって、ローラ１６の配列方向に沿ってスライド移動可能である。また、前記ストッパ１７は、前記ボルト１９に螺合するナット２１に連結された固定ハンドル２２を図４において点線で示す位置から実線で示す位置まで約９０度回転させることによって、ローラ１６の配列方向の任意の位置でローラユニット１２に対して固定可能になっている。
【００１９】
前記他方のストッパ２３は、図５に示すように、両端部に円柱状突起２４が突設されており、これらの突起２４をローラユニット１２のフレーム１４に形成された丸穴２５に挿入することによって、ローラユニット１２に対して着脱可能に取り付けられている。
【００２０】
次に、前記構成からなるパレット１０の使用方法について図６を参照して説明する。
倉庫において、パレット１０上に、樹脂シートまたはアルミフィルムのロール（貨物）Ｒが複数段に例えば１５個積載される。ロールＲが積載され終わると、ストッパ１７をロールＲに当接する位置まで移動させて固定ハンドル２２で固定する。これにより、積載されたロールＲが２つのストッパ１７，２３によって挟まれることで、搬送中にロールＲがパレット１０上で移動したり脱落するのが防止される。
【００２１】
ロールＲが積載されたパレット１０は、ハンドリフト２によって持ち上げて前処理室１に搬送され、前処理室１において清浄域用のパレット１０に横付け状態で並べて置かれる。前処理室１では、矢印Ａ方向に流れる気流が形成されるようにして、清浄域への塵や埃等の侵入が防止されている。そして、ストッパ２３がパレット１０から取り外された後、作業者がロールＲを矢印Ｆ方向に押す。すると、複数段積みされたロールＲは、ローラ１６が回転することによって、一般域用パレット１０からストッパ２３だけが固定されている清浄域用パレット１０にまとめて１度に載せ替えられる。それから、清浄域用パレット１０は、ストッパ１７が装着された後、ハンドリフト２によって持ち上げられて清浄域である製造現場へと搬送される。
【００２２】
このように、本実施形態のパレット１０によれば、２つのパレット１０を横付けした状態で並べて配置し、一方のパレット１０に積載されたロールＲを横方向に押すだけで、複数のロールＲを１つずつ持ち上げることなくまとめて１度に他方のパレット１０に極めて容易かつ迅速に載せ替えることができる。
【００２３】
なお、前記実施形態のパレット１０では、コロを回転可能に軸支されたローラ１６で構成したが、コロは他の形状（例えば回転可能に支持された球体や扁平円盤体等）であってもよい。
【００２４】
ところで、前記においては、コ字状側面を有するパレット本体１１にローラユニット１２，１２ａ，１２ｂを取り付けてローラ付きパレットを構成したが、図７に示すように、ローラユニット１２ａ，１２ｂのフレーム１４の下部に台座２６を例えばねじ止めや溶接等の方法により取り付けることによって、ローラユニット１２ａ，１２ｂ自体をパレットとして使用できるようにしてもよい。ここで、台座２６には、例えば、両端を閉じた略ロ字状横断面の金属製中空パイプを使用することができる。また、台座２６は、ローラユニット１２ａ，１２ｂの各フレーム１４と同じ長さにわたって延びていてもよいし、あるいは、ローラユニット１２ａ，１２ｂの長手方向（図７紙面の奥行き方向）において間隔を開けて複数に分割されていてもよい。さらに、ローラ１６の下であって２本のフレーム１４間には、ハンドリフト２がローラ１６に接触しないように受けるための金属製の固定板２７がねじ止めまたは溶接等の方法で掛け渡して固定されている。この固定板２７は、例えば、厚さが２ｃｍで幅が１０ｃｍであり、ローラユニットの長手方向における両端部近傍と中央部に３箇所設けられるのが好ましい。なお、前記台座２６および固定板２７は、図１，２に示すような１列ローラタイプのローラユニット１２に適用されてもよい。このようにしてパレットを構成すれば、市販のローラユニットを簡単にローラ付きパレットに改良することができる。
【図面の簡単な説明】
【００２５】
【図１】パレットの部分斜視図。
【図２】パレットの側面図。
【図３】ローラユニットを２列にしたパレットの側面図。
【図４】一方のストッパの取付部の拡大図。
【図５】他方のストッパの取付部分を示す図。
【図６】パレットの使用方法を説明するための図。
【図７】ローラユニットに台座を取り付けたパレットの側面図。
【図８】従来のパレットの使用方法を示す図。
【符号の説明】
【００２６】
１…前処理室
２…ハンドリフト
１０…パレット
１１…パレット本体
１２…ローラユニット
１４…フレーム
１５…金属棒
１６…ローラ（コロ）
１７，２３…ストッパ
２０…長穴
２２…固定ハンドル
２６…台座
Ｒ…ロール（貨物）
【図１】
2007069957.tif 000003
【図２】
2007069957.tif 000004
【図３】
2007069957.tif 000005
【図４】
2007069957.tif 000006
【図５】
2007069957.tif 000007
【図６】
2007069957.tif 000008
【図７】
2007069957.tif 000009
【図８】
2007069957.tif 000010